(57)【要約】本発明は医学に関するものである。まぶたを通して眼内圧を測定する本発明による装置は、本体と、支持体を備えかつまぶたを通して眼球に加えることができる静荷重を発生させるために往復移動可能なように前記本体に位置されている移動可能なスリーブと、平坦な基部を備えかつ前記支持体に対して変位可能でまぶたを通して眼球を変形させる衝撃力を発生させるように前記スリーブの空洞に配置されているロッドと、前記の移動可能なスリーブに位置された少なくとも１個の測定用コイルと、を含む。前記ロッドには永久磁石が装着され、測定用コイルは前記ロッドの変位の方向と速度を制御することができるように前記磁石に関連して配置され、制御、処理および表示ユニットに接続されており、前記ユニットは、前記ロッドをその初期位置まで戻しかつその結果測定用コイルから受け取られた信号が変換され得られた結果が表示されるように前記支持体の方向にロッドを移動させるパルスを発生させるようにコイルにおいて反対の極性の電圧を発生させるように実施されている。
2009536844.tif 000002
【特許請求の範囲】
【請求項１】
ハウジングと、支持体を有する移動可能なブッシングであって、前記ハウジング内に位置され、かつまぶたを通して眼球に静荷重を加えるために限定された範囲内でその中を往復移動するようにされている移動可能なブッシングと、平坦な基部を備えたロッドであって、前記ハウジング内に位置されて前記支持体に対して相対的に往復移動しかつまぶたを通して眼球を変形させるように衝撃力を加えるロッドと、前記の移動可能なブッシング内に設けられた少なくとも１個の測定用巻き線と、を含む眼内圧を測定するための装置において、該装置は前記ロッドに装嵌された永久磁石を備え、前記測定用巻き線が前記ロッドの移動の方向と速度を制御するために前記永久磁石に関連して位置され、前記測定用巻き線が制御、処理および指示ユニットに接続され、該ユニットは該測定用巻き線に亘って反対の極性の電圧を発生させて前記ロッドをその初期位置まで後退させその後前記ロッドを前記支持体に向って移動させるようにパルスを加えるようにされており、前記測定用巻き線からの信号は変換されて眼内圧を測定しかつその結果を表示することを特徴とする眼内圧を測定するために装置。
【請求項２】
前記装置は、測定の間まぶたを通して眼球に加えられた特定の静荷重を指示する非接触指示計が設けられていることを特徴とする請求項１に記載の装置。
【請求項３】
前記指示計が前記ハウジングに対する前記ブッシングの相対位置を示すセンサであることを特徴とする請求項２に記載の装置。
【請求項４】
前記ハウジングに対する前記の移動可能なブッシングの相対位置を示す前記センサが、発生器と、空洞を備えた別のブッシングと、前記の移動可能なブッシングが移動している間発生器回路に接続されているコイル巻き線のインダクタンスを変えるように、それぞれ前記移動可能なブッシングと前記ハウジングとに装着されているコイルとを含むことを特徴とする請求項３に記載の装置。
【請求項５】
前記ハウジングに対する前記の移動可能なブッシングの相対位置を示す前記センサの発生器が前記の制御、処理および指示ユニットに接続されていることを特徴とする請求項４に記載の装置。
【請求項６】
前記ロッドの平坦な基部が０．２ｍｍ２から１．５ｍｍ２までの面積を有していることを特徴とする請求項１に記載の装置。
【請求項７】
前記支持体が取り外し可能なタイプであることを特徴とする請求項１に記載の装置。
【請求項８】
前記支持体が端部を丸くした２個の内方に湾曲した楔状突起を含み、水平調整の環状突起がそれらの基部から３ミリメートルから５ミリメートルまでの高さにおいて前記の丸くされた端部の間に設けられていることを特徴とする請求項１に記載の装置。
【請求項９】
前記の移動可能なブッシングと支持体とが前記ロッドの移動の間空気が排出されるようにする空洞および開口を有していることを特徴とする請求項１に記載の装置。
【発明の詳細な説明】
【技術分野】
【０００１】
本発明は眼内圧（ｉｎｔｒａｏｃｕｌａｒ  ｐｒｅｓｓｕｅ：ＩＯＰ）を測定するように設計され、まぶたを通して眼球を変形させるために静荷重と衝撃力を同時に加えるようにされた眼科用の可搬式医療装置に関するものであり、緑内障について集団検診する間に、緑内障の治療の正当性を確認するとか、知覚まひや感染の危険性なしに個人別に眼内圧をモニターするために使用しうるものである。
【背景技術】
【０００２】
開いた眼に対して眼内圧を測定するために使用される、当該技術分野において既知である装置は、その一方の部分が磁性材料からつくられ、他方の部分が眼を変形させるために丸みを付けた（半球形の）基部を有し非磁性材料からつくられているプローブであって、測定の間操作者に手持ちされたハウジングの壁に組み込まれ、それに所望の速度をつけるために電磁巻き線内に位置されているプローブを含んでいる（２００３年１２月２４日に公開された国際特許出願第０３／１０５６８０号（ＷＯ  ０３／１０５６８０）「ＰＣＴ／Ｆ１０３／００４８９」、Ａ６１Ｂ３／１６を参照）。
【０００３】
ＩＯＰを測定するための従来技術による装置は開いた眼を変形させるために衝撃力を利用するが、静荷重はかけていない。まぶたを通してのＩＯＰ測定は異なる解剖学的構造を有しているまぶたの衝撃吸収特性を補正するために開いた眼に対して使用されるものよりもかなり大きなエネルギを必要とするので所望の精度を提供しない。とはいえ、衝撃力を増大させることは、眼の取り付けられている筋肉が伸ばされるため眼の空間的位置を不安定にする。そのような不安定さはＩＯＰを所望の精度で測定できないようにする。更に、大きな衝撃荷重でまぶたを通してＩＯＰを測定する場合、測定の間に極度の痛みを与えるのでプローブの基部に丸みをつけること（ｒｏｕｎｄｉｎｇ）には問題がある。
【０００４】
当該技術分野においてはまた、眼の位置が安定している間に例えば眼に更なる静荷重を加えることによって、まぶたを通してＩＯＰを測定する装置も知られている。
【０００５】
例えば、眼内圧を測定するための従来技術による装置は、測定の間眼に対して静荷重がそこを通して加えられる環状の支持体と、衝撃力によってまぶたを通して眼の角膜を変形させるための重量が０．３グラムから０．７グラムまでの球とを含み、前記球は１２０ミリメートルから１５０ミリメートルまでの高さから自由落下するようにされ、続いてその球の最初の跳ね返り高さによって圧力を測定する（１９９０年に公開されたロシア特許第２，００７，９５１号（Ｒｕｓｓｉａｎ  Ｐａｔｅｎｔ  ２，００７，９５１）、分類Ａ６１Ｂ３／１６を参照）。
【０００６】
環状の支持体を使用することはＩＯＰ測定装置を眼に対してしっかりと装着できないようにするので、そのためその精度は著しく低下する。さらに、測定の間垂直方向から当該装置がたとえ僅かでも偏向すると更なる測定誤差が急に増大する。
【０００７】
本発明に最も近い従来技術は、その中で限定した範囲内を移動可能であるブッシング（ｂｕｓｈｉｎｇ）を収容し、一定の所望の荷重を加えるガイドと支持部材とを備えたハウジングと、前記ブッシングの内部に設けられ、衝撃荷重を加えるために自重の作用で自由落下しうる自由落下体の形態の眼球変形要素と、前記の移動可能なブッシングの頂上部分において初期頂点位置にある変形要素用ホルダと、前記の移動可能なブッシングの壁中に組み込まれ、かつ発生器回路（ｇｅｎｅｒａｔｏｒ  ｃｉｒｃｕｉｔ）に接続されて時間の経過において前記変形要素の移動関数（ｍｏｖｅｍｅｎｔ  ｆｕｎｃｔｉｏｎ）を測定する測定用巻き線と、前記ハウジング内での前記ブッシングの初期の最底位置を登録する機械的な捕捉部（ｃａｔｃｈ）の形態でハウジングに対する移動可能なブッシングの相対位置を示すセンサであって、ばね弾圧の釦を含み、該釦の留め部分が移動可能なブッシングの外面と係合するように前記ハウジング壁の開口に位置されており、前記の移動可能なブッシングの支持部分が前記自由落下体の運動軸線から７ミリメートルから１０ミリメートルまでの距離を均等に離隔されている丸形の支持端を有する２個の突起を備えているようなセンサと、面積が１ｍｍ２から７ｍｍ２までの平坦な基部を有するロッドとして形成されている弾性変形要素と、非作動状態において前記の移動可能なブッシング内の前記変形要素の下位置を限定するよう作用する底部ガイドと、を含む装置である（１９９８年公開のロシア特許第２，１２３，７９８号（Ｒｕｓｓｉａｎ  Ｐａｔｅｎｔ  ２，１２３，７９８）、分類Ａ６１Ｂ３／１６を参照）。
【０００８】
前記の従来技術による装置においては、衝撃力は面積が１ｍｍ２から７ｍｍ２の平坦な基部を有する自由落下のロッドによって測定中に発達され、静荷重は、当該装置がまぶたを通して眼にしっかりと装着できるようにする原初設計（ｏｒｉｇｉｎａｌ  ｄｅｓｉｇｎ）の支持体を介して眼に衝撃を加えるロッドの初期位置を登録する手段と共に測定用巻き線を内部に組み込んだ移動可能なブッシングによってまぶたを通して眼に加えられる。
【０００９】
しかしながら、前記の従来技術による装置は測定の間絶対的な垂直位置に保持される必要があり、更に、測定の前に前記ロッドがその初期位置にセットされることを必要とし、かつ精度を高めるために数回測定を行う必要があり、そのため測定手順が長引き、患者自身が自分のＩＯＰを測定できないようにさせる。
【００１０】
従来技術の装置によるＩＯＰ測定の精度が低いことは当該装置のハウジングが手作業で垂直位置に位置されることによる影響、測定の間当該装置を位置決めする精度を自動的にチェックする手段の欠如、測定の間所望の静荷重を発達させる機械的な締め付け（ｃｌａｍｐ）により生じる誤差が起因する。
【発明の概要】
【発明が解決しようとする課題】
【００１１】
本発明はまぶたを通してＩＯＰを測定する装置の作動特性を改良することを目的とする。
【課題を解決するための手段】
【００１２】
本発明の技術的効果は、測定の読み取りを当該装置のハウジングの垂直位置とは無関係にすること、全体的に重複因子（ａ  ｍｕｌｔｉｐｌｅ  ｆａｃｔｏｒ）によって測定手順に要する時間を減少させること、測定手順が簡単かつ容易であること、および患者が援助無しに自分でＩＯＰを測定できるようにすることによって測定の精度を高めることである。
【００１３】
前述の技術的効果は、まぶたを通して眼内圧を測定する装置において達成され、このまぶたを通して眼内圧を測定する装置は、ハウジングと、まぶたを通して眼球に静荷重を加えるために前記ハウジング内で限定的な往復移動をするように該ハウジング内に支持体を配置させている移動可能なブッシングと、前記支持体に対して相対的に往復移動し、まぶたを通して眼球を変形させる衝撃力を加えるように前記ブッシング内に配置されている平坦な基部を備えたロッドと、前記の移動可能なブッシング内に配置され、前記ロッドに設けられた永久磁石を更に有する少なくとも１個の測定用巻き線と、を含み、該測定用巻き線は磁石の移動の方向と速度とを制御するために前記永久磁石に関連して位置され、そして、前記ロッドを初期位置まで後退させ、ついで前記支持体の方向に移動するよう前記ロッドにパルスを提供するために前記測定用巻き線に亘って対向の極性（ｏｐｐｏｓｉｔｅ  ｐｏｌａｒｉｔｉｅｓ）の電圧を発生させるように設けられた制御、処理および指示ユニットであって、眼内圧を測定し、その測定結果を表示するように前記測定用巻き線から受け取った信号を変換するようにされた制御、処理および指示ユニットに接続されている。
【００１４】
前記装置には測定の間まぶたを通して眼球に加えられつつある所望の静荷重を指示する非接触指示計（ｃｏｎｔａｃｔｌｅｓｓ  ｉｎｄｉｃａｔｏｒ）を設けることが可能で、前記指示計は前記ハウジングに対するブッシングの相対位置を指示するセンサとして構成されることが好ましい。
【００１５】
前記ハウジングに対する前記の移動可能なブッシングの相対位置を指示するセンサには発生器（ｇｅｎｅｒａｔｏｒ）、空洞を備えた別のブッシング、およびコイルを設けることが好ましく、それらは全て、前記の移動可能なブッシングが変位すると発生器回路に接続されているコイル巻き線のインダクタンスを変動させるためにそれぞれ前記の移動可能なブッシングとハウジングとに配置されている。
【００１６】
また、前記のハウジングに対する移動可能なブッシングの相対位置を指示するセンサの発生器を制御、処理および測定データ表示ユニットに接続することも好ましい。
【００１７】
前記ロッドには面積が０．２ｍｍ２から１．５ｍｍ２までの基部を設けることが好ましい。
【００１８】
前記支持体は取り外し可能なタイプであることが好ましい。
【００１９】
更に、前記支持体は２個の内方に湾曲させた楔状の端部の形態につくることが好ましく、それらの間には前記基部から３ミリメートルから５ミリメートルまでの高さで水平調整の環状突起が設けられる。
【００２０】
最後に、移動可能なブッシングと支持体にはロッドが移動する間空気をそこを通して逃避させる空洞と開口をそれぞれ設けることが好ましい。
【００２１】
本発明の概念は、面積が０．２ｍｍ２から１．５ｍｍ２までの平坦な基部を備え、眼球に加えられた静荷重が不変である間に電磁界の作用によって制御可能に移動するロッドが、測定の間眼球の変形点において色々な解剖学的構造のまぶたを安定的に圧縮し、このためにＩＯＰ測定の精度を高めることからなっている。
【図面の簡単な説明】
【００２２】
【図１】ＩＯＰ測定装置の断面図である。
【図２】ＩＯＰ測定装置の作動を説明するためにその基本部分を示すブロック線図である。
【発明を実施するための形態】
【００２３】
ＩＯＰ測定装置（図１）はプラスチックのハウジング１と、支持体３が前記ハウジング１内に配置され、まぶたを通して眼球に静荷重を加えるために限定された範囲内で該ハウジング内を往復移動するようにされている移動可能なブッシング２とを含む。非磁性材料のロッド４が、前記支持体３に対してその中で相対移動しかつ衝撃力によってまぶたを通して眼球を変形させるように前記の移動可能なブッシング２内に設けられている。永久磁石５がロッド４に設けられている。コイル６が前記の移動可能なブッシングの壁の内部に配置されており、前記ロッド４の移動の方向および速度を制御するために前記永久磁石５に関連して配置された少なくとも１個の測定用巻き線７が設けられている。前記の測定用巻き線７はリード線８によって制御、処理および指示ユニット９（図２）に接続されている。ハウジング１の外側に設けられた保護スクリーン１０がコイル６の測定用巻き線７を遮蔽するために使用されている。
【００２４】
ロッド４はプラスチックからつくられ、面積が０．２ｍｍ２から１．５ｍｍ２までである平坦な基部１１を有している。０．２ｍｍ２以下の面積は測定の間痛みを感じさせやすく、一方１．５ｍｍ２以上の面積は厚いまぶたの場合安定して圧縮できるようにしない。前記ロッド４が前記コイル６および支持体3の内部で長手方向に移動自在とするために移動可能なブッシング２には上下の摺動摩擦ベアリング１２および１３が設けられている。ロッド４の下方向落下は下側の摺動摩擦ベアリング１２の面１４によって制限されている。移動可能なブッシング２内での初期上方位置までの前記ロッド４の戻りは該ロッド４の突起の面１５と上側の摺動摩擦ベアリング１３とによって制限される。
【００２５】
ハウジング１には、移動可能なブッシング２の垂直方向の往復移動を制限し、ハウジング１に対する回転を阻止するために該ブッシング２と一体である停止部（ｓｔｏｐ）１７のための長手方向のスロット１６が設けられている。測定用巻き線７は、その一部が前記停止部１７の内部を貫通して延在しているリード線８によって制御、処理および指示ユニット９に接続されている。
【００２６】
ＩＯＰ測定装置には、まぶたを通して眼に加えられつつある所望の静加重の非接触指示計、例えばハウジング１に対する移動可能なブッシング２の相対位置を指示するセンサ１８が設けられている。前記センサ１８はそれぞれ移動可能なブッシング２およびハウジング１に装嵌されている別のブッシング１９および固定コイル２０を含み、前記の固定コイル２０の巻き線２１は制御、処理および指示ユニット９に接続されている発生器回路２３にリード線２２によって接続されている（図２）。
【００２７】
測定目的のために必要とされる（移動可能なブッシング２とその支持体３、測定用巻き線および別のブッシング１９の重量およびロッド４と永久磁石５の重量とから構成される）静荷重の重量は変動するなら２０グラムから３０グラムまでの間でなければならない。２０グラムより下の重量は眼球を安定かつ一定の状態に保つことができず、一方３０グラムより上の重量は眼球を過度に変形させるため眼内圧を著しく増加せしめることになる。
【００２８】
支持体３は丸みをつけた支持端を有する２個の楔状突起２４を有しており、環状突起はその基部から３ミリメートルから５ミリメートルまでの高さ（Ｈ）において該突起の間を延在する水平調整の領域（ｌｅｖｅｌｉｎｇ  ａｒｅａ）２５を有している。前記支持体３の楔状突起２４はロッド４の往復移動の軸線２６から７ミリメートルから１０ミリメートルまでの距離（Ｓ）において等間隔に離隔している。消毒をし易くするために、支持体３は取り外し可能なタイプである。支持体３は弾性の捕捉部（ｃａｔｃｈ）２７によって移動可能なブッシング２の下方部分に装嵌されており、前記捕捉部は必要に応じ、支持体３がそれ自体の軸線の周りで回転するとか、あるいは保守や掃除のためにロッド４が引っ張り出されるように取り外し可能とされている。
【００２９】
ハウジング１は装飾用ブッシング２９によってハウジング１にしっかりと固定されている取り外し可能な保護プラスチックケーシング２８に位置させることができる。この場合、保護ケーシング２８とハウジング１は４ミリメートルから６ミリメートルまでの距離（Ｌ）まで移動可能なブッシング２とその支持体３に対して垂直方向に共に往復移動するように配置されている。
【００３０】
移動可能なブッシング２、固定コイル２０および支持体３は、移動するロッド４によって押し退けられた空気を排出するためにそれぞれ空洞３０，３１および３２と開口３３を有している。
【００３１】
制御、処理および指示ユニット９はスイッチ３４、増幅器３５、アナログ−デジタル変換器３６、プロセッサ３７、ディスプレイ３８および電源３９を含む。スイッチ３４の第一および第二のリード線はそれぞれ増幅器３５の第一と第二の入力側に接続されており、増幅器３５の出力側はアナログ−デジタル変換器３６の第一の入力側に接続されている。プロセッサ３７の第一、第二および第三の入力側はアナログ−デジタル変換器３６および発生器２３の出力側と、ディスプレイ３８の第一の入力側にそれぞれ接続されており、その第一と第二の出力側はスイッチ３４の第三の入力側とディスプレイ３８の第二の入力側にそれぞれ接続されている。電源３９は発生器２３の入力側と、スイッチ３４の第四の入力側と、増幅器３５とプロセッサ３７の第三の入力側とにそれぞれ、およびアナログ−デジタル変換器３６の第二の入力側に接続されている。
【００３２】
スイッチ３４の第一と第二の入力側は制御、処理および指示ユニット９の第一と第二の入力側として作用し、リード線８によって測定用巻き線７に接続されている。スイッチ３４の第四の入力側は制御、処理および指示ユニット９の第三の入力側であり、その出力側がプロセッサ３７の入力側に接続されかつ前記ユニット９の入力側として作用する発生器２３に接続されている。アナログ−デジタル変換器３６とプロセッサ３７とがマイクロプロセッサ４０を形成する。スイッチ３４は、ロッド４の移動方向を反転させかつ測定された衝撃力を眼球に加えるために測定用巻き線７における電流を反転するようにされており、マイクロプロセッサ４０によって制御される。
【００３３】
本発明は、まぶたを通して眼球を変形させるために衝撃力を利用し、同時に測定の間眼球を不変位置に保つための安定した静荷重を加えることに基づいている。ＩＯＰ測定装置の作動原理はまぶたを通して眼球を変形させるためにロッド４に対して測定された移動パルスを加えることと、（眼の弾力的な面からの応答の結果としての）ロッドの往復移動を電流信号に変換することから構成される。
【００３４】
まぶたを通して眼内圧を測定するための本発明による装置は以下のように作動する。患者の頭は顔を上に向けて位置される。強膜（ｓｃｌｅｒａ  ｒｅｇｉｏｎ）内で眼球を変形させるためには、その視線（ｓｉｇｈｔ）の方向が、例えば患者の手を基準点として水平方向に対して約４５度の角度をつけて設定される。起動した装置が保護ケーシング２８によって垂直方向に保持されるにつれて、楔状突起２４が眼球のまぶたと接触して支持体３が眼球の中心の周りで対称的に上まぶたのすじ部分（ｇｒｉｓｔｌｅ  ｒｅｇｉｏｎ）に位置される。楔状突起２４と支持体３の水平調整部分２５が全ての測定の間一定に保たれる位置にまぶたと眼球とを固定する。保護ケーシング２８とハウジング１とは次いで支持体３に対して４ミリメートルから６ミリメートルまでの距離までゆっくりと降下される。その結果、（測定用巻き線７を備えた移動可能なブッシング２と、別のブッシング１９および支持体３を含む）本装置の移動可能部分がハウジングに対して上方へ移動する。例えば、黄銅から作られている別のブッシング１９は固定コイル２０の上を移動して、巻き線２１のインダクタンスを変化させ、従ってリード線２２によって巻き線に接続されている発生器２３の周波数を変化させる。
【００３５】
発生器２３が特定の周波数に到達するにつれて、制御、処理および指示ユニット９は自動的にリード線８を介して測定用巻き線７に特定の極性の直流電圧を適用し、ロッド４が電磁界によってその初期位置まで上方移動されるようにする。本装置の移動可能部分の重量はまぶたを通して所望の静荷重を眼球に加える。この時点で、支持体３に対するハウジング１の相対的な下方移動が中断され、ハウジング１と共に保護ケーシング２８がこの位置で（３秒以下）動かないように保たれる。
【００３６】
正にこの時点で、コイル６の測定用巻き線７に先に加えられていた直流電圧が自動的に読み取られ、反対の極性の短い電圧が付与される。その結果、ロッド４は、該ロッドを眼球に向って強制的に移動させ、その平坦な基部１１でまぶたと眼球を変形させ、次いで反対方向に跳ね返るようにさせる測定されたパルスを受け取る。
【００３７】
前記ロッド４に設けられた永久磁石５は（眼球に向って）下方移動し（眼球から跳ね返って）上方移動するにつれて、コイル６の測定用巻き線７において電圧を誘発し、この電圧が増幅器３５において増幅され、ロッドの速度関数（ｓｐｅｅｄ  ｆｕｎｃｔｉｏｎ）をデジタルの読み取り値に変換し、処理し、分析するために使用され、最終的にＩＯＰ測定の結果としてディスプレイ３８に表示される。
【００３８】
本装置が作動している間、上下の摺動摩擦ベアリング１３および１２はロッド４がコイル６および支持体３の内部で長さ方向に自在に移動できるようにする。前記ロッド４の下方への自由落下は下側の摺動摩擦ベアリング１２の面１４によって制限され、前記ロッド４のその最上位置への上方移動は該ロッド４の突起の面１５と上側の摺動摩擦ベアリング１３によって制限される。前記支持体３に設けられた開口３３、移動可能なブッシング２の空洞３０および３１、並びに固定コイル２０の空洞３２が前記ロッド４の移動の間空気が排出されうるようにする。ハウジング１の長手方向スロット１６に位置された停止部１７が移動可能なブッシング２のその軸線の周りでの回転を阻止する。
【００３９】
測定用巻き線７から読み取られたアナログ信号はデジタル形態に変換され、ロッド４の移動関数の作動モード、デジタル処理および分析は制御、処理および指示ユニット９に組み込まれたマイクロプロセッサ４０によるプログラムに従って制御される。
【００４０】
特許請求されている装置は色々な厚さのまぶたを安定して圧縮するようにして、（非接触荷重値指示計（ｃｏｎｔａｃｔｌｅｓｓ  ｌｏａｄ  ｖａｌｕｅ  ｉｎｄｉｃａｔｏｒ）を使用し、かつ自動的に測定指令を発生させるため）測定の間眼に加えられる静荷重の安定性を高めるように促進し、その結果ＩＯＰ測定の精度が高められる。ロッド４に装嵌された永久磁石５が（最直近の従来技術におけるように）自由落下ロッドの衝撃力を電磁力によるロッド４の制御可能な移動に置き換え易くする。このことによって測定の間本装置を垂直位置に保持する必要性を著しく低減し、ロッドが自動的にその初期位置にリセットできるようにし、かつ本装置が眼に位置されている間に数回のＩＯＰ測定を行うことができるようにする。
【００４１】
静荷重設定の正当性が測定の間に確認されるようなＩＯＰ測定装置は、寸法が１７５ミリメートル×２６ミリメートル×２０ミリメートル以下で重量が１００グラムまでの共通のハウジングにおいて全ての必要な要素を組み合わせるので便利である。
【００４２】
特許請求されているＩＯＰ測定装置はＩＯＰ測定の間の静荷重設定のその有益な精度が特徴であり、従ってその測定精度や測定速度が改善される。その測定手順は何ら痛みを発生させない。本装置は＋／−２ｍｍＨｇの精度で眼内圧をｍｍＨｇで測定する。測定は１秒もかからない。
【００４３】
時間的に最小のコストで２４時間の間に一人の患者に対して多数回のＩＯＰ測定を行えることは選択された治療方法の正当性を確認する上で極めて重要であり、かつ確認の効率を高めることができる。更に、眼の強膜との直接的な接触がないため、測定の間の感染の危険が防止される。
【００４４】
特許請求されている装置は簡素な設計のため手頃な価格での製造を可能とし、使い易さのため本装置の家庭や診療所での使用を可能とする。特許請求されている装置はＩＯＰ測定の精度を高め、治療の間患者自身によって眼内圧の変化をモニターし易くする。
【００４５】
本装置は以下の利点：
−  測定の高度な精度、
−  ＩＯＰ測定の全体時間の短縮、
−  患者がＩＯＰを独力で測定可能とすること、
−  本装置を作業位置へ操作するのに必要な時間の低減、
−  人に特殊な訓練を行うことなくどのような状態でも本装置を適用すること、
−  （快適さ、使用の簡便さ、パラメータの安定性のような）消費者のための特性の改良、及び
−  本装置の操作の容易さ、
を提供する。
【図１】
2009536844.tif 000003
【図２】
2009536844.tif 000004
【国際調査報告】
2009536844.tif 000005
2009536844.tif 000006